(57)【要約】【課題】光学シートに生じるうねりを抑制できる表示装置を提供する。【解決手段】表示装置１は、表示パネルの周縁部を覆う額縁部６１１を有する上フレーム６１０と、額縁部６１１とで表示パネルを挟むパネル支持部６２１を有する中フレーム６２０と、第１方向において表示パネルと対向し、外周端部がパネル支持部６２１に対向する光学シート３３０と、光学シート３３０が配置された透明基板３２０と、複数のＬＥＤ３１０を収容する収容空間を構成する本体部６３２、及び、本体部６３２から延び出し透明基板３２０を支持する基板支持部６３１を有する下フレーム６３０と、パネル支持部６２１及び基板支持部６３１の間に配置された複数の第１スペーサ部材７１０とを備え、光学シート３３０とパネル支持部６２１とは、第１方向において空間部を介在させて配置されており、複数の第１スペーサ部材７１０の各々は、透明基板３２０の第１の方向の動きを規制する凹部７１１（規制部）を有する。【選択図】図７
2019012116.tif 000002
【特許請求の範囲】
【請求項１】
表示パネルと、
前記表示パネルの表示面の周縁部を覆う額縁部を有する第１フレームと、
前記額縁部とで前記表示パネルを挟むパネル支持部を有する第２フレームと、
第１方向において前記表示パネルと対向し、外周端部が前記パネル支持部に対向する光学シートと、
前記光学シートが配置された透明基板と、
複数の発光素子を収容する収容空間を構成する本体部、及び、前記本体部から延び出し前記透明基板を支持する基板支持部を有する第３フレームと、
前記パネル支持部及び前記基板支持部の間に配置された複数のスペーサ部材とを備え、
前記光学シートと前記パネル支持部とは、前記第１方向において空間部を介在させて配置されており、
前記複数のスペーサ部材の各々は、前記透明基板の前記第１の方向の動きを規制する規制部を有する、
表示装置。
【請求項２】
前記規制部は、さらに、前記透明基板の前記第１方向に直交する第２方向の動きを規制する、
請求項１に記載の表示装置。
【請求項３】
前記規制部は、前記透明基板の外周端部を収納する凹部であり、
前記凹部は、前記透明基板の主面と対面する第１内面と、前記第１内面に直交し、かつ、前記透明基板の側面に対面する第２内面とを有する、
請求項２に記載の表示装置。
【請求項４】
前記光学シートの外周端部の一部が前記第３フレームに固定されており、
前記第２フレームの前記パネル支持部と、前記光学シートの前記第３フレームに固定された部分の周辺領域との間には、クッション部材が配置されている、
請求項１〜３のいずれか１項に記載の表示装置。
【請求項５】
前記光学シートの平面視形状は、長尺状であり、
前記光学シートは、当該光学シートの長手方向の両端部の中央部のみが前記第３フレームに固定されている、
請求項４に記載の表示装置。
【請求項６】
前記光学シートは、平面視において、前記長手方向の両端部の中央部の各々から外側に向かって突出する突出部を有し、
前記光学シートは、前記突出部において前記第３フレームに固定されている、
請求項５に記載の表示装置。
【請求項７】
前記第１フレームは、前記１方向において前記額縁部から前記第３フレーム側に延在する板状の第１側壁部を有し、
前記第３フレームの前記基板支持部は、前記第１側壁板に向かって板状に延在しており、
前記第２フレームは、前記第１側壁部と前記基板支持部との隙間を通り、かつ、前記１方向において前記パネル支持部から前記第３フレーム側に延在する板状の第２側壁部を有し、
前記第２側壁部は、前記基板支持部の端部の主面と当該主面に直交する側面とに沿って折れ曲がる屈曲部を有する、
請求項１〜６のいずれか１項に記載の表示装置。
【請求項８】
前記第２フレームの角部には、隙間が存在し、
前記第２フレームと前記第３フレームとの間には前記隙間を閉塞するクッション部材が配置されている、
請求項１〜７のいずれか１項に記載の表示装置。
【請求項９】
前記透明基板は、ガラス板である、
請求項１〜８のいずれか１項に記載の表示装置。
【請求項１０】
前記表示パネルは、液晶表示パネルである第１表示パネルと、前記第１表示パネルに重ね合わせられた液晶表示パネルである第２表示パネルとによって構成されている、
請求項１〜９のいずれか１項に記載の表示装置。
【発明の詳細な説明】
【技術分野】
【０００１】
本開示は、表示装置に関し、特に、液晶表示パネルを用いた液晶表示装置に関する。
【背景技術】
【０００２】
液晶表示装置は、低消費電力で画像を表示することができるため、テレビ又はモニタ等のディスプレイ等として利用されている。しかしながら、液晶表示装置は、有機ＥＬ（Ｅｌｅｃｔｒｏ  Ｌｕｍｉｎｅｓｃｅｎｃｅ）表示装置と比べてコントラスト比が低い。
【０００３】
そこで、従来、液晶表示装置のコントラスト比を向上させる技術として、２枚の液晶表示パネルを重ね合わせることで、入力映像信号に基づいて、それぞれの液晶表示パネルに画像を表示させる技術が提案されている。例えば、特許文献１には、カラー画像を表示する第１液晶表示パネルとモノクロ画像を表示する第２液晶表示パネルとを重ね合わせることで、コントラスト比を向上させることができる液晶表示装置が開示されている。
【先行技術文献】
【特許文献】
【０００４】
【特許文献１】国際公開第２００７／０４０１５８号
【発明の概要】
【発明が解決しようとする課題】
【０００５】
近年、液晶表示装置では、二次元状に配列された複数のＬＥＤによって構成された直下型のＬＥＤバックライトが用いられている。また、複数のＬＥＤの前方には光学シートが配置されている。
【０００６】
このような液晶表示装置では、複数のＬＥＤの前方に配置された光学シートにうねりが生じ、画像の品位が低下するという課題がある。特に、２枚の液晶表示パネルを重ね合わせた液晶表示装置では、各液晶表示パネルによる光の透過率の低下を補うためにバックライトの光量が大きく設定される。このため、光学シートのうねりが目立つ。
【０００７】
本開示は、このような課題を解決するためになされたものであり、光学シートに生じるうねりを抑制できる表示装置を提供することを目的とする。
【課題を解決するための手段】
【０００８】
上記目的を達成するために、本開示に係る表示装置の一態様は、表示パネルと、前記表示パネルの表示面の周縁部を覆う額縁部を有する第１フレームと、前記額縁部とで前記表示パネルを挟むパネル支持部を有する第２フレームと、第１方向において前記表示パネルと対向し、外周端部が前記パネル支持部に対向する光学シートと、前記光学シートが配置された透明基板と、複数の発光素子を収容する収容空間を構成する本体部、及び、前記本体部から延び出し前記透明基板を支持する基板支持部を有する第３フレームと、前記パネル支持部及び前記基板支持部の間に配置された複数のスペーサ部材とを備え、前記光学シートと前記パネル支持部とは、前記第１方向において空間部を介在させて配置されており、前記複数のスペーサ部材の各々は、前記透明基板の前記第１の方向の動きを規制する規制部を有する。
【発明の効果】
【０００９】
光学シートに生じるうねりを抑制できるので、画像の品位が低下することを抑制できる。
【図面の簡単な説明】
【００１０】
【図１】実施の形態に係る表示装置の概略構成を示す図である。
【図２】実施の形態に係る表示装置における第１表示パネルの概略構成を示す図である。
【図３】実施の形態に係る表示装置における第２表示パネルの概略構成を示す図である。
【図４】実施の形態に係る表示装置の斜視図である。
【図５】実施の形態に係る表示装置の分解斜視図である。
【図６】実施の形態に係る表示装置における、透明基板、光学シート及び第１スペーサ部材の平面レイアウトを示す図である。
【図７】図４及び図６のVII−VII線における実施の形態に係る表示装置の部分断面斜視図である。
【図８】図４及び図６のVIII−VIII線における実施の形態に係る表示装置の部分断面図である。
【図９】図４及び図６のIX−IX線における実施の形態に係る表示装置の部分断面図である。
【図１０】実施の形態に係る表示装置の角部周辺の拡大斜視図である。
【図１１】実施の形態に係る表示装置の角部周辺の分解斜視図である。
【図１２】実施の形態に係る表示装置における第１スペーサ部材の斜視図である。
【図１３】光学シートにうねりが生じる原因を説明するための図である。
【図１４】変形例に係る表示装置の部分断面図である。
【発明を実施するための形態】
【００１１】
以下、本開示の実施の形態について説明する。なお、以下に説明する実施の形態は、いずれも本開示の好ましい一具体例を示すものである。したがって、以下の実施の形態で示される、数値、形状、材料、構成要素、及び、構成要素の配置位置や接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１２】
各図は模式図であり、必ずしも厳密に図示されたものではない。したがって、各図において縮尺等は必ずしも一致していない。なお、各図において、実質的に同一の構成に対しては同一の符号を付しており、重複する説明は省略又は簡略化する。
【００１３】
また、本明細書及び図面において、Ｘ軸、Ｙ軸及びＺ軸は、三次元直交座標系の三軸を表しており、Ｘ軸及びＹ軸は、互いに直交し、かつ、いずれもＺ軸に直交する軸である。
【００１４】
（実施の形態）
まず、実施の形態に係る表示装置１の概略構成について、図１〜図３を用いて説明する。図１は、実施の形態に係る表示装置１の概略構成を示す図である。図２は、同表示装置１における第１表示パネル１００の概略構成を示す図である。図３は、同表示装置１における第２表示パネル２００の概略構成を示す図である。
【００１５】
表示装置１は、静止画像又は動画像の画像（映像）を表示する画像表示装置である。図１に示すように、表示装置１は、観察者に近い位置（前側）に配置された第１表示パネル１００と、第１表示パネル１００よりも観察者から遠い位置（後側）に配置された第２表示パネル２００とを備える。第１表示パネル１００及び第２表示パネル２００は、平面視において同一の外形形状であるが、これに限らない。
【００１６】
本実施の形態において、表示装置１は、第１表示パネル１００及び第２表示パネル２００が液晶表示パネルによって構成された液晶表示装置である。
【００１７】
第１表示パネル１００は、メインパネルであって、ユーザが視認する画像を表示する。第１表示パネル１００は、例えば、ユーザが視認する画像としてカラー画像を表示する。
【００１８】
第１表示パネル１００には、第１ソースＦＰＣ１１０及び第１ゲートＦＰＣ１２０が接続されている。第１ソースＦＰＣ１１０及び第１ゲートＦＰＣ１２０は、例えば、異方性導電性フィルム（ＡＣＦ；Ａｎｉｓｏｔｒｏｐｉｃ  Ｃｏｎｄｕｃｔｉｖｅ  Ｆｉｌｍ）を用いた熱圧着によって第１表示パネル１００の各種信号線の電極端子と接続されている。
【００１９】
第１ソースＦＰＣ１１０には、第１ソースドライバ１１１が実装されており、第１ゲートＦＰＣ１２０には、第１ゲートドライバ１２１が実装されている。また、第１ソースＦＰＣ１１０には、第１回路基板１１２が接続されている。第１回路基板１１２は、複数の電子部品が実装されたプリント基板（ＰＣＢ；Ｐｒｉｎｔｅｄ  Ｃｉｒｃｕｉｔ  Ｂｏａｒｄ）であり、第１タイミングコントローラ４１０から出力された各種信号を第１ソースＦＰＣ１１０の第１ソースドライバ１１１に伝達する機能を有する。
【００２０】
第１表示パネル１００の第１画像表示領域１３０にカラー画像を表示する場合、第１タイミングコントローラ４１０から出力される各種信号が第１ソースドライバ１１１及び第１ゲートドライバ１２１に入力される。なお、第１ソースドライバ１１１には、第１回路基板１１２を介して各種信号が入力される。
【００２１】
第２表示パネル２００は、第１表示パネル１００の背面側に配置されるサブパネルである。第２表示パネル２００は、例えば、第１表示パネル１００に表示されるカラー画像に対応した画像パターンのモノクロ画像（白黒画像）を、そのカラー画像に同期させて表示する。
【００２２】
第２表示パネル２００には、第２ソースＦＰＣ２１０及び第２ゲートＦＰＣ２２０が接続されている。第２ソースＦＰＣ２１０及び第２ゲートＦＰＣ２２０は、例えば、異方性導電性フィルムを用いた熱圧着によって第２表示パネル２００の各種信号線の電極端子と接続されている。
【００２３】
第２ソースＦＰＣ２１０には、第２ソースドライバ２１１が実装されており、第２ゲートＦＰＣ２２０には、第２ゲートドライバ２２１が実装されている。また、第２ソースＦＰＣ２１０には、第２回路基板２１２が接続されている。第２回路基板２１２は、複数の電子部品が実装された略矩形板状のプリント基板（ＰＣＢ）であり、第２タイミングコントローラ４２０から出力された各種信号を第２ソースＦＰＣ２１０の第２ソースドライバ２１１に伝達する機能を有する。
【００２４】
第２表示パネル２００の第２画像表示領域２３０にモノクロ画像を表示する場合、第２タイミングコントローラ４２０から出力される各種信号が第２ソースドライバ２１１及び第２ゲートドライバ２２１に入力される。なお、第２ソースドライバ２１１については、第２回路基板２１２を介して第２ソースドライバ２１１に各種信号が入力される。
【００２５】
図２及び図３に示すように、第１画像表示領域１３０及び第２画像表示領域２３０は、マトリクス状に区画された複数の画素によって構成されている。第１画像表示領域１３０の画素数と第２画像表示領域２３０の画素数とは同じであってもよいし異なっていてもよいが、メインパネルである第１表示パネル１００における第１画像表示領域１３０の画素数を、サブパネルである第２表示パネル２００における第２画像表示領域２３０画素数よりも多くするとよい。
【００２６】
本実施の形態において、表示装置１は液晶表示装置であり、第１表示パネル１００及び第２表示パネル２００は、いずれも液晶表示パネルである。また、第１表示パネル１００及び第２表示パネル２００の液晶駆動方式は、例えばＩＰＳ（Ｉｎ  Ｐｌａｎｅ  Ｓｗｉｔｃｈｉｎｇ）方式又はＦＦＳ（Ｆｒｉｎｇｅ  Ｆｉｅｌｄ  Ｓｗｉｔｃｈｉｎｇ）方式等の横電界方式であるが、これに限るものではない。第１表示パネル１００及び第２表示パネル２００の液晶駆動方式は、ＶＡ（Ｖｅｒｔｉｃａｌ  Ａｌｉｇｎｍｅｎｔ）方式又はＴＮ（Ｔｗｉｓｔｅｄ  Ｎｅｍａｔｉｃ）方式等であってもよい。
【００２７】
表示装置１は、さらに、バックライト３００を備える。バックライト３００は、第２表示パネル２００の後側に配置されている。
【００２８】
バックライト３００は、第１表示パネル１００及び第２表示パネル２００に向けて光を照射する。バックライト３００は、例えば、ＬＥＤ（Ｌｉｇｈｔ  Ｅｍｉｔｔｉｎｇ  Ｄｉｏｄｅ）を光源とするＬＥＤバックライトであるが、バックライト３００の光源は、ＬＥＤに限定されるものではない。
【００２９】
表示装置１は、さらに、第１表示パネル１００の第１ソースドライバ１１１及び第１ゲートドライバ１２１を制御する第１タイミングコントローラ４１０と、第２表示パネル２００の第２ソースドライバ２１１及び第２ゲートドライバ２２１を制御する第２タイミングコントローラ４２０と、第１タイミングコントローラ４１０及び第２タイミングコントローラ４２０に画像データを出力する画像処理部５００とを備える。
【００３０】
図２に示すように、第１タイミングコントローラ４１０は、画像処理部５００から出力される第１画像データＤＡＴ１と第１制御信号ＣＳ１（クロック信号、垂直同期信号、水平同期信号等）とに基づいて、第１画像データ信号ＤＡ１と、第１ソースドライバ１１１及び第１ゲートドライバ１２１の駆動を制御するための各種タイミング信号（データスタートパルスＤＳＰ１、データクロックＤＣＫ１、ゲートスタートパルスＧＳＰ１、ゲートクロックＧＣＫ１）とを生成する。第１タイミングコントローラ４１０は、第１画像データ信号ＤＡ１と、データスタートパルスＤＳＰ１と、データクロックＤＣＫ１とを第１ソースドライバ１１１に出力し、ゲートスタートパルスＧＳＰ１とゲートクロックＧＣＫ１とを第１ゲートドライバ１２１に出力する。
【００３１】
第１ソースドライバ１１１は、データスタートパルスＤＳＰ１及びデータクロックＤＣＫ１に基づいて、第１画像データ信号ＤＡ１に応じたデータ電圧（データ信号）を第１表示パネル１００のソース配線ＳＬ１に出力する。また、第１ゲートドライバ１２１は、ゲートスタートパルスＧＳＰ１及びゲートクロックＧＣＫ１に基づいて、ゲート電圧（ゲート信号）を第１表示パネル１００のゲート配線ＧＬ１に出力する。これにより、カラー画像が第１画像表示領域１３０に表示される。
【００３２】
図３に示すように、第２タイミングコントローラ４２０は、画像処理部５００から出力される第２画像データＤＡＴ２と第２制御信号ＣＳ２（クロック信号、垂直同期信号、水平同期信号等）とに基づいて、第２画像データ信号ＤＡ２と、第２ソースドライバ２１１及び第２ゲートドライバ２２１の駆動を制御するための各種タイミング信号（データスタートパルスＤＳＰ２、データクロックＤＣＫ２、ゲートスタートパルスＧＳＰ２、ゲートクロックＧＣＫ２）とを生成する。第２タイミングコントローラ４２０は、第２画像データ信号ＤＡ２と、データスタートパルスＤＳＰ２と、データクロックＤＣＫ２とを第２ソースドライバ２１１に出力し、ゲートスタートパルスＧＳＰ２とゲートクロックＧＣＫ２とを第２ゲートドライバ２２１に出力する。
【００３３】
第２ソースドライバ２１１は、データスタートパルスＤＳＰ２及びデータクロックＤＣＫ２に基づいて、第２画像データ信号ＤＡ２に応じたデータ電圧（データ信号）を第２表示パネル２００のソース配線ＳＬ２に出力する。また、第２ゲートドライバ２２１は、ゲートスタートパルスＧＳＰ２及びゲートクロックＧＣＫ２に基づいて、ゲート電圧（ゲート信号）を第２表示パネル２００のゲート配線ＧＬ２に出力する。これにより、モノクロ画像が第２画像表示領域２３０に表示される。
【００３４】
図１に示すように、画像処理部５００は、外部のシステム（図示せず）から送信された入力映像信号Ｄａｔａを受信し、所定の画像処理を実行した後、第１タイミングコントローラ４１０に第１画像データＤＡＴ１を出力するとともに、第２タイミングコントローラ４２０に第２画像データＤＡＴ２を出力する。第１画像データＤＡＴ１は、カラー表示用の画像データであり、第２画像データＤＡＴ２は、モノクロ表示用の画像データである。
【００３５】
また、画像処理部５００は、第１タイミングコントローラ４１０に第１制御信号ＣＳ１を出力するとともに、第２タイミングコントローラ４２０に第２制御信号ＣＳ２を出力する。なお、第１制御信号ＣＳ１及び第２制御信号ＣＳ２には、第１表示パネル１００で表示させるカラー画像と第２表示パネル２００で表示させるモノクロ画像とを同期させるための同期信号が含まれる。
【００３６】
このように、本実施の形態に係る表示装置１では、第１表示パネル１００及び第２表示パネル２００の２つの表示パネルを重ね合わせて画像を表示しているので、表示画像の黒を引き締めることができる。これにより、コントラスト比が高い画像を表示することができる。また、表示装置１は、例えばＨＤＲ（Ｈｉｇｈ  Ｄｙｎａｍｉｃ  Ｒａｎｇｅ）対応テレビであり、バックライト３００として、ローカルディミング対応の直下型ＬＥＤバックライトを用いてもよい。この場合、さらに高コントラスト比かつ高画質のカラー画像を表示することができる。
【００３７】
バックライト３００によってローカルディミングを行う場合、バックライト駆動回路（不図示）によって、画像処理部５００から入力される発光制御信号に応じたタイミング及び輝度でバックライト３００の複数のＬＥＤを選択的に発光させる。
【００３８】
次に、実施の形態に係る表示装置１の構造的な特徴について、図４〜図９を用いて説明する。図４は、実施の形態に係る表示装置１の斜視図である。図５は、同表示装置１の分解斜視図である。図６は、同表示装置１における、透明基板３２０、光学シート３３０及び第１スペーサ部材７１０の平面レイアウトを示す図である。図７、図８及び図９は、それぞれ、図４及び図６のVII−VII線、VIII−VIII線、IX−IXI線における同表示装置１の断面図である。
【００３９】
なお、図５では、説明の便宜上、第１表示パネル１００を省略しているとともに、各部材同士をネジ止めするネジも省略している。
【００４０】
図４〜図９に示すように、表示装置１は、第１表示パネル１００と、第２表示パネル２００と、バックライト３００と、フレーム６００と、第１スペーサ部材７１０と、第２スペーサ部材７２０とを備える。
【００４１】
フレーム６００は、第１表示パネル１００と第２表示パネル２００とバックライト３００とを保持する保持部材である。本実施の形態において、フレーム６００は、上フレーム６１０（第１フレーム）と、中フレーム６２０（第２フレーム）と、下フレーム６３０（第３フレーム）とによって構成されている。
【００４２】
表示装置１では、観察者側から、上フレーム６１０と、第１表示パネル１００と、第２表示パネル２００と、中フレーム６２０と、下フレーム６３０とが、この順で配置されている。
【００４３】
中フレーム６２０と下フレーム６３０との間には、複数の第１スペーサ部材７１０が配置される。また、中フレーム６２０と上フレーム６１０との間には、複数の第２スペーサ部材７２０が配置される。第１スペーサ部材７１０及び第２スペーサ部材７２０は、例えば樹脂材料によって構成された樹脂成型品であるが、これに限らず、例えば金属材料等によって構成されていてもよい。
【００４４】
図７〜図９に示すように、第１表示パネル１００と第２表示パネル２００とは重ね合わせられている。具体的には、第１表示パネル１００及ぶ第２表示パネル２００は、第１表示パネル１００が外側（観察者側）に配置され、第２表示パネル２００が内側に配置される。
【００４５】
第１表示パネル１００は、第１ＴＦＴ（Ｔｈｉｎ  Ｆｉｌｍ  Ｔｒａｎｓｉｓｔｏｒ）基板１０１と、第１ＴＦＴ基板１０１に対向する第１対向基板１０２と、第１ＴＦＴ基板１０１と第１対向基板１０２との間に配置された第１液晶層１０３とを備える液晶セル（オープンセル）である。本実施の形態において、第１ＴＦＴ基板１０１及び第１対向基板１０２のうち第１対向基板１０２が観察者側に位置している。
【００４６】
第１ＴＦＴ基板１０１は、ガラス基板等の透明基板にＴＦＴ層が形成された基板である。ＴＦＴ層は、駆動回路層であり、ＴＦＴ層には、ＴＦＴ及びＴＦＴを駆動するための配線等が形成されている。ＴＦＴ層の平坦化層上には、第１液晶層１０３に電圧を印加するための画素電極が形成されている。
【００４７】
第１対向基板１０２は、ガラス基板等の透明基板に画素形成層としてカラーフィルタ層が形成されたＣＦ基板である。第１対向基板１０２の画素形成層は、ブラックマトリクス（黒色部）及びカラーフィルタ（着色部）を有する。ブラックマトリクスは、例えば格子状又はストライプ状に形成されており、ブラックマトリクスには、画素を構成するマトリクス状の複数の開口部が形成されている。ブラックマトリクスの各開口部内にはカラーフィルタが形成されている。各カラーフィルタは、例えば、赤色用のカラーフィルタ、緑色用のカラーフィルタ、又は、青色用のカラーフィルタである。各色のカラーフィルタは、各画素に対応している。
【００４８】
第１液晶層１０３は、第１ＴＦＴ基板１０１と第１対向基板１０２との間の隙間に封止されている。第１液晶層１０３の液晶材料は、駆動方式に応じて適宜選択することができる。
【００４９】
また、第２表示パネル２００は、第２ＴＦＴ基板２０１と、第２ＴＦＴ基板２０１に対向する第２対向基板２０２と、第２ＴＦＴ基板２０１と第２対向基板２０２との間に配置された第２液晶層２０３とを備える液晶セル（オープンセル）である。本実施の形態において、第２ＴＦＴ基板２０１及び第２対向基板２０２のうち第２ＴＦＴ基板２０１が観察者側に位置している。
【００５０】
つまり、第２表示パネル２００は、第１表示パネル１００に対して、ＴＦＴ基板と対向基板（ＣＦ基板）とを反転させた状態で配置されている。具体的には、第１表示パネル１００及び第２表示パネル２００は、互いのＴＦＴ基板（第１ＴＦＴ基板１０１、第２ＴＦＴ基板２０１）が内側に位置するように配置されている。
【００５１】
第２ＴＦＴ基板２０１は、ガラス基板等の透明基板にＴＦＴ層が形成された基板である。ＴＦＴ層は、駆動回路層であり、ＴＦＴ層には、ＴＦＴ及びＴＦＴを駆動するための配線等が形成されている。ＴＦＴ層の平坦化層上には、第１液晶層１０３に電圧を印加するための画素電極が形成されている。
【００５２】
第２対向基板２０２は、ガラス基板等の透明基板に画素形成層が形成された基板である。第２対向基板２０２の画素形成層は、画素を構成する格子状又はストライプ状に形成されたブラックマトリクスを有する。本実施の形態では、第２表示パネル２００はモノクロ画像を表示するので、画素形成層には、カラーフィルタが形成されていない。
【００５３】
第２液晶層２０３は、第２ＴＦＴ基板２０１と第２対向基板２０２との間の隙間に封止されている。第２液晶層２０３の液晶材料は、駆動方式に応じて適宜選択することができる。
【００５４】
第１表示パネル１００の両面の各々には、第１偏光板１０４が貼り付けられている。一対の第１偏光板１０４は、偏光方向が互いに直交するように配置されている。つまり、一対の第１偏光板１０４は、クロスニコルで配置されている。
【００５５】
また、第２表示パネル２００の両面の各々には、第２偏光板２０４が貼り付けられている。一対の第２偏光板２０４は、偏光方向が互いに直交するように配置されている。つまり、一対の第２偏光板２０４は、クロスニコルで配置されている。
【００５６】
一対の第１偏光板１０４及び一対の第２偏光板２０４は、例えば樹脂材料からなるシート状の偏光フィルムである。なお、第１偏光板１０４及び第２偏光板２０４には、位相差板（位相差フィルム）が貼り合わされていてもよい。
【００５７】
第１表示パネル１００と第２表示パネル２００とは接着層１０５によって貼り合わされている。具体的には、第１表示パネル１００の裏面側の第１偏光板１０４と第２表示パネル２００の前面側の第２偏光板２０４とが接着層１０５によって接着されている。接着層１０５としては、例えば、光学粘着シート（ＯＣＡ：Ｏｐｔｉｃａｌｌｙ  Ｃｌｅａｒ  Ａｄｈｅｓｉｖｅ）等の透明接着剤を用いることができる。なお、第１表示パネル１００と第２表示パネル２００との間に、拡散シートが別途挿入されていてもよい。
【００５８】
バックライト３００は、複数のＬＥＤ３１０と、透明基板３２０と、光学シート３３０と、反射板３４０とを有する。
【００５９】
複数のＬＥＤ３１０の各々は、発光素子の一例である。ＬＥＤ３１０としては、例えば白色光を発する白色ＬＥＤ光源を用いることができる。
【００６０】
本実施の形態において、バックライト３００は、直下型バックライトであり、複数のＬＥＤ３１０は、二次元的に配置されている。具体的には、複数のＬＥＤ３１０は、下フレーム６３０の底部にマトリクス状に配列されている。本実施の形態において、複数のＬＥＤ３１０は、下フレーム６３０の凹部に配置された反射板３４０の上に配置されている。
【００６１】
ＬＥＤ３１０の前方（光出射側）には、透明基板３２０及び光学シート３３０が配置されている。つまり、透明基板３２０及び光学シート３３０は、下フレーム６３０の本体部６３２と対向している。具体的には、透明基板３２０及び光学シート３３０は、本体部６３２の底板部６３２ａと対向するように配置されている。
【００６２】
透明基板３２０は、透明な剛板である。透明基板３２０は、例えば、可視光に対して透明なガラス板である。この場合、透明基板３２０としては、機械的強度に優れた強化ガラスを用いるとよい。このように、透明基板３２０としてガラス板を用いることで、熱による膨張又は収縮が小さくて高い剛性を有する透明基板３２０を実現できる。
【００６３】
光学シート３３０は、ＬＥＤ３１０から出射する光に対して光学作用を付与する。光学シート３３０としては、例えば、ＬＥＤ３１０からの光を拡散させるための拡散板（拡散シート）及び／又はプリズムシート等を用いることができる。光学シート３３０は、例えば樹脂材料によって構成された樹脂シートである。なお、光学シート３３０は、１枚であってもよいし、複数枚であってもよい。
【００６４】
透明基板３２０及び光学シート３３０のうち、透明基板３２０が下フレーム６３０側に配置され、光学シート３３０が第２表示パネル２００側に配置されている。光学シート３３０は、透明基板３２０に配置されている。具体的には、光学シート３３０は、透明基板３２０の第２表示パネル２００側の面に載置されて透明基板３２０に支持されている。
【００６５】
したがって、光学シート３３０は、第２表示パネル２００と対向しており、第２表示パネル２００と所定の間隔をあけて透明基板３２０に配置されている。つまり、光学シート３３０と第２表示パネル２００とは、Ｚ軸方向において空間部を介在させて配置されており、光学シート３３０と第２表示パネル２００との間には空気層が存在する。
【００６６】
なお、透明基板３２０に載置された光学シート３３０は、透明基板３２０に接触しているが、光学シート３３０と透明基板３２０とは接着されておらず、光学シート３３０は、透明基板３２０には固定されていない。
【００６７】
また、光学シート３３０の外周端部は、中フレーム６２０のパネル支持部６２１に覆われている。具体的には、光学シート３３０の外周端部は、中フレーム６２０のパネル支持部６２１と対向しており、光学シート３３０は、パネル支持部６２１と所定の間隔をあけて配置されている。つまり、光学シート３３０と中フレーム６２０のパネル支持部６２１とは、Ｚ軸方向において空間部を介在させて配置されており、光学シート３３０の外周端部と中フレーム６２０のパネル支持部６２１との間には空気層が存在する。
【００６８】
透明基板３２０は、透明基板３２０の外周端部が、下フレーム６３０の基板支持部６３１と中フレーム６２０のパネル支持部６２１との間に位置するように配置されている。本実施の形態において、透明基板３２０は、外周端部が下フレーム６３０の基板支持部６３１に支持されている。具体的には、透明基板３２０の外周端部は、基板支持部６３１に載置された反射板３４０のフランジ部の上に載置されている。
【００６９】
図６に示すように、光学シート３３０の平面視形状は、長尺状である。具体的には、光学シート３３０は、平面視において、矩形状の主領域であるシート本体部３３１と、シート本体部３３１の長手方向の両端部の中央部の各々から外側に向かって突出する突出部３３２（耳部）とを有する。具体的には、突出部３３２は、シート本体部３３１の短辺の中央部から矩形状に張り出すように形成されている。
【００７０】
光学シート３３０は、下フレーム６３０に対して固定されている。本実施の形態では、光学シート３３０の外周端部の一部が下フレーム６３０の基板支持部６３１に固定されている。具体的には、光学シート３３０は、光学シート３３０の長手方向の両端部の中央部のみが下フレーム６３０の基板支持部６３１に固定されている。
【００７１】
本実施の形態では、図６及び図９に示すように、光学シート３３０の突出部３３２が透明基板３２０からはみ出しており、光学シート３３０は、突出部３３２において下フレーム６３０の基板支持部６３１に固定されている。具体的には、光学シート３３０の突出部３３２には貫通孔３３２ａが設けられており、下フレーム６３０の基板支持部６３１に設けられた突起６３１ａに突出部３３２の貫通孔３３２ａを挿入させることで、光学シート３３０のＸＹ平面での動きが規制される。これにより、光学シート３３０は、下フレーム６３０に対して固定された状態となる。
【００７２】
図７〜図９に示すように、また、中フレーム６２０のパネル支持部６２１と光学シート３３０の下フレーム６３０に固定された部分の周辺領域との間には、クッション部材８１０が配置されている。具体的には、クッション部材８１０は、中フレーム６２０のパネル支持部６２１と光学シート３３０の突出部３３２との間の隙間に配置されている。クッション部材８１０は、例えばパネル支持部６２１に固定される。クッション部材８１０としては、例えば発泡ゴムを用いることができるが、これに限らない。
【００７３】
このように、パネル支持部６２１と光学シート３３０との間にクッション部材８１０を挿入することで、厚み方向（Ｚ軸方向）における光学シート３３０のずれを抑えることができる。つまり、クッション部材８１０により光学シート３３０のＺ軸方向の動きが規制される。
【００７４】
本実施の形態では、パネル支持部６２１と光学シート３３０との間においては、突出部３３２に対応する位置にのみクッション部材８１０が配置されており、突出部３３２に対応する位置以外の部分にはクッション部材８１０が配置されていない。つまり、中フレーム６２０のパネル支持部６２１と光学シート３３０との間のうち突出部３３２に対応する位置以外の部分では、パネル支持部６２１の下面と光学シート３３０の上面とが空気層のみを介して直接対面している。
【００７５】
このように、突出部３３２に対応する位置にのみクッション部材８１０を挿入することで、突出部３３２に対応する位置のみで光学シート３３０が押さえ付けられる。つまり、突出部３３２に対応する位置以外（つまりシート本体部３３１）では、光学シート３３０はクッション部材等で押さえつけられておらず、フリーな状態になっている。したがって、光学シート３３０の外周端部の大部分が自由端となっている。
【００７６】
反射板３４０は、複数のＬＥＤ３１０の光を反射する機能を有する。反射板３４０は、下フレーム６３０の本体部６３２の底部に配置されている。反射板３４０は、例えば鋼板又はアルミ板等の薄金属板によって構成されている。この場合、反射板３４０の表面には、白塗装が施されているとよい。なお、反射板３４０は、白色の樹脂材料によって構成されていてもよい。
【００７７】
上述のように、フレーム６００は、上フレーム６１０と、中フレーム６２０と、下フレーム６３０とによって構成されている。上フレーム６１０、中フレーム６２０及び下フレーム６３０は、例えばネジにより互いに固定されている。
【００７８】
第１フレームである上フレーム６１０は、フレーム６００において上側（Ｚ軸方向プラス側）に配置されたフロントフレームである。本実施の形態において、上フレーム６１０は、平面視形状が矩形枠状で断面形状がＬ字状の金属フレームであり、鋼板又はアルミニウム板等の高い剛性を有する金属材料によって構成されている。一例として、上フレーム６１０は、所定形状にカットされた金属板に折り曲げ等のプレス加工を施すことで形成することができる。
【００７９】
本実施の形態において、上フレーム６１０は、額縁部６１１と、第１側壁部６１２とを有する。
【００８０】
額縁部６１１は、第１表示パネル１００の表示面の周縁部を覆うベゼル部である。具体的には、額縁部６１１は、第１表示パネル１００の表示面の外周端部の全周を覆うように枠状に形成されている。本実施の形態において、額縁部６１１は、第１側壁部６１２の上端からフランジ状に突出している。
【００８１】
額縁部６１１の先端部の内面（下面）にはクッション部材８２０が設けられている。クッション部材８２０は、額縁部６１１と第１表示パネル１００との間に配置されている。具体的には、額縁部６１１と第１偏光板１０４とで挟持されるようにクッション部材８２０が挿入されている。これにより、第１表示パネル１００の端部を保護しつつ、上フレーム６１０と第１表示パネル（第１偏光板１０４）との間の隙間をなくして埃や虫等の微小物体が表示装置１の内部に侵入することを抑制できる。クッション部材８２０としては、例えば発泡ゴムを用いることができるが、これに限らない。
【００８２】
第１側壁部６１２は、Ｚ軸方向において額縁部６１１から下フレーム６３０側に延在する板状の側壁板である。つまり、第１側壁部６１２は、額縁部６１１から下方に向かって延在するように形成されている。
【００８３】
本実施の形態において、第１側壁部６１２は、第１表示パネル１００及び第２表示パネル２００とバックライト３００との側方に位置している。具体的には、第１側壁部６１２は、中フレーム６２０の第２側壁部６２２と対面している。
【００８４】
第２フレームである中フレーム６２０は、上フレーム６１０と下フレーム６３０との間に配置されたミドルフレームである。中フレーム６２０は、第１表示パネル１００及び第２表示パネル２００をバックライト３００側から支持している。本実施の形態において、中フレーム６２０は、平面視形状が矩形枠状で断面形状がＬ字状の金属フレームであり、鋼板又はアルミニウム板等の高い剛性を有する金属材料によって構成されている。一例として、中フレーム６２０は、所定形状にカットされた金属板に折り曲げ等のプレス加工を施すことで形成することができる。
【００８５】
本実施の形態において、中フレーム６２０は、パネル支持部６２１と、第２側壁部６２２とを有する。
【００８６】
パネル支持部６２１は、第１表示パネル１００及び第２表示パネル２００を支持する中フランジ部である。パネル支持部６２１は、上フレーム６１０の額縁部６１１とで第１表示パネル１００及び第２表示パネル２００を挟んでいる。つまり、第１表示パネル１００及び第２表示パネルの各々の外周端部は、パネル支持部６２１と額縁部６１１との間に位置している。パネル支持部６２１は、第２表示パネル２００の裏面の外周端部の全周を覆うように枠状に形成されている。
【００８７】
本実施の形態において、パネル支持部６２１の先端部の内面（上面）にはクッション部材８３０が設けられている。クッション部材８３０は、パネル支持部６２１と第２表示パネル２００との間に配置されている。具体的には、パネル支持部６２１と第２偏光板２０４とで挟持されるようにクッション部材８３０が挿入されている。これにより、第２表示パネル２００の端部を保護しつつ、中フレーム６２０と第２表示パネル（第２偏光板２０４）との間の隙間をなくして埃や虫等の微小物体が表示装置１の内部に侵入することを抑制することができる。クッション部材８３０としては、例えば発泡ゴムを用いることができるが、これに限らない。
【００８８】
第２側壁部６２２は、Ｚ軸方向においてパネル支持部６２１から下フレーム６３０側に延在する板状の側壁板である。つまり、第２側壁部６２２は、パネル支持部６２１から下方に向かって延在するように形成されている。具体的には、第２側壁部６２２は、上フレーム６１０の第１側壁部６１２と下フレーム６３０の基板支持部６３１との隙間を通り、かつ、Ｚ軸方向においてパネル支持部６２１から下フレーム６３０側に延在している。
【００８９】
本実施の形態において、第２側壁部６２２は、バックライト３００の側方に位置している。具体的には、第２側壁部６２２は、上フレーム６１０の第１側壁部６１２と下フレーム６３０の本体部６３２の側板部６３２ｂとの間に配置されている。第２側壁部６２２は、上フレーム６１０の第１側壁部６１２と対面しているとともに、下フレーム６３０の本体部６３２の側板部６３２ｂと対面している。
【００９０】
また、第２側壁部６２２は、下フレーム６３０の基板支持部６３１の端部の主面６３１ｘと当該主面６３１ｘに直交する側面６３１ｙとに沿って折れ曲がる屈曲部６２２ａを有する。つまり、第２側壁部６２２の屈曲部６２２ａは、基板支持部６３１の端部において段差状に形成されている。
【００９１】
第３フレームである下フレーム６３０は、フレーム６００において背面側（Ｚ軸方向マイナス側）に配置されたリアフレームである。下フレーム６３０は、バックライト３００を構成するＬＥＤ３１０を内部に収容するとともに、バックライト３００を構成する透明基板３２０と反射板３４０とを保持する。本実施の形態において、下フレーム６３０は、全体として凹状に形成された金属筐体であり、鋼板又はアルミニウム板等の高い剛性を有する金属材料によって構成されている。
【００９２】
本実施の形態において、下フレーム６３０は、基板支持部６３１と、本体部６３２とを有する。
【００９３】
基板支持部６３１は、本体部６３２から延び出し透明基板３２０を支持する下フランジ部である。基板支持部６３１は、第１側壁部６１２に向かって板状に延在している。具体的には、基板支持部６３１は、Ｚ軸方向を法線方向とする水平板である。
【００９４】
本体部６３２は、複数のＬＥＤ３１０を収容する収容空間を構成している。本体部６３２は、平面視形状が矩形の底板部（背面板）６３２ａと、底板部６３２ａの外周端部から上側に突出する枠状の側板部６３２ｂとを有する。
【００９５】
基板支持部６３１は、本体部６３２の周縁に設けられている。具体的には、基板支持部６３１は、本体部６３２の側板部６３２ｂの上端部から外方に向かってフランジ状に形成されている。図７〜図９に示すように、基板支持部６３１の端部は、主面６３１ｘと当該主面６３１ｘに直交する側面６３１ｙとを含んでいる。図７〜図９に示す例では、主面６３１ｘは、Ｚ軸方向を法線方向とする平面であり、側面６３１ｙは、Ｚ軸方向と直交する方向を法線方向とする平面である。
【００９６】
底板部６３２ａには、複数のＬＥＤ３１０が配置される。本実施の形態において、複数のＬＥＤ３１０は、熱伝導シートを介して底板部６３２ａに配置された反射板３４０の上に配列されている。また、側板部６３２ｂは、底板部６３２ａの外周端部と下フレーム６３０の基板支持部６３１との間をＺ軸方向に延びている。
【００９７】
また、図１０及び図１１に示すように、下フレーム６３０を覆う中フレーム６２０の角部には、隙間が存在している。図１０は、実施の形態に係る表示装置１の角部周辺の拡大斜視図であり、図１１は、同表示装置１の角部周辺の分解斜視図である。
【００９８】
中フレーム６２０の角部に隙間６２３を設けることで、折り曲げ加工によって所定の形状の中フレーム６２０を容易に形成することができるが、この隙間６２３から、埃や虫等の微小異物が表示装置１の内部に侵入するおそれがある。
【００９９】
そこで、本実施の形態では、図１０及び図１１に示すように、中フレーム６２０と下フレーム６３０との間に、中フレーム６２０の角部の隙間６２３を閉塞するクッション部材８４０（コーナークッション）が配置されている。具体的には、クッション部材８４０は、中フレーム６２０のパネル支持部６２１と下フレーム６３０の基板支持部６３１との間に配置されている。
【０１００】
このように、中フレーム６２０と下フレーム６３０との間に、中フレーム６２０の隙間６２３を閉塞するクッション部材８４０を配置することで、この隙間６２３から埃や虫等の微小物体が表示装置１の内部に侵入することを抑制できる。クッション部材８４０としては、例えば発泡ゴムを用いることができるが、これに限らない。
【０１０１】
なお、中フレーム６２０と下フレーム６３０との間には複数の第１スペーサ部材７１０も配置されているが、中フレーム６２０及び下フレーム６３０の角部に第１スペーサ部材７１０は配置されていない。つまり、角部のクッション部材８４０と第１スペーサ部材７１０とはズレた位置に配置されている。
【０１０２】
図８に示すように、複数の第１スペーサ部材７１０は、下スペーサであり、Ｚ軸方向における中フレーム６２０と下フレーム６３０との間の間隔を一定に維持している。
【０１０３】
本実施の形態において、複数の第１スペーサ部材７１０の各々は、中フレーム６２０のパネル支持部６２１と下フレーム６３０の基板支持部６３１との間に配置されている。具体的には、複数の第１スペーサ部材７１０の各々は、パネル支持部６２１と基板支持部６３１とに挟持されており、パネル支持部６２１と基板支持部６３１との隙間の間隔を規制している。
【０１０４】
また、透明基板３２０は複数の第１スペーサ部材７１０によって保持されており、複数の第１スペーサ部材７１０の各々は、透明基板３２０が移動することを規制している。本実施の形態において、複数の第１スペーサ部材７１０の各々は、透明基板３２０の外周端部を収納する凹部７１１を有している。そして、凹部７１１に透明基板３２０の外周端部が収納されることで透明基板３２０の移動が規制されている。
【０１０５】
具体的には、凹部７１１は、透明基板３２０のＺ軸方向の動きを規制する規制部として機能する。本実施の形態において、凹部７１１は、さらに、透明基板３２０のＺ軸方向に直交する方向（水平方向）の動きも規制している。つまり、凹部７１１は、透明基板３２０のＺ軸方向の動きを規制するだけではなく、透明基板３２０のＸ軸方向又はＹ軸方向の動きを規制している。
【０１０６】
この場合、表示装置１の長辺側に配置される第１スペーサ部材７１０については、Ｚ軸方向とＹ軸方向とにおける透明基板３２０の動きを規制し、表示装置１の短辺側に配置される第１スペーサ部材７１０については、Ｚ軸方向とＸ軸方向とにおける透明基板３２０の動きを規制する。
【０１０７】
図８及び図１２に示すように、各第１スペーサ部材７１０の凹部７１１は、第１内面７１１ａと第２内面７１１ｂとを有する。第１内面７１１ａは、透明基板３２０の主面３２０ｘと対面する。具体的には、第１内面７１１ａは、Ｚ軸方向を法線方向とする平面であり、透明基板３２０の主面３２０ｘと平行な面である。第２内面７１１ｂは、第１内面に７１１ａに直交し、かつ、透明基板３２０の側面３２０ｙに対面する。具体的には、第２内面７１１ｂは、Ｚ軸方向と直交する方向を法線方向とする平面であり、透明基板３２０の外周端部の側面（エッジ面）３２０ｙと平行な面である。
【０１０８】
凹部７１１の第１内面７１１ａ及び第２内面７１１ｂは、透明基板３２０の表面と接触していてもよいが、透明基板３２０の表面との間に寸法交差程度の僅かな隙間があってもよい。
【０１０９】
このように、表示装置１の全周に配置された複数の第１スペーサ部材７１０の各々の凹部７１１に透明基板３２０の外周端部が収納されることによって、透明基板３２０は、Ｚ軸方向、Ｘ軸方向及びＹ軸方向に移動しないように一定の位置にとどまるように配置される。つまり、凹部７１１に透明基板３２０の外周端部が収納されることで、透明基板３２０の全方向における動きが拘束される。
【０１１０】
また、図５、図１０及び図１１に示される第２スペーサ部材７２０は、中フレーム６２０と上フレーム６１０との間に配置された上スペーサであり、Ｚ軸方向における中フレーム６２０と上フレーム６１０との間の間隔を一定に維持している。
【０１１１】
本実施の形態において、複数の第２スペーサ部材７２０の各々は、中フレーム６２０のパネル支持部６２１と上フレーム６１０の額縁部６１１との間に配置されている。具体的には、複数の第２スペーサ部材７２０の各々は、パネル支持部６２１と額縁部６１１とに挟持されており、パネル支持部６２１と額縁部６１１との隙間の間隔を規制している。
【０１１２】
また、複数の第２スペーサ部材７２０の各々は、第１表示パネル１００及び第２表示パネル２００が移動することを規制している。具体的には、各第２スペーサ部材７２０は、第１表示パネル１００及び第２表示パネル２００の水平方向に移動することを規制している。
【０１１３】
次に、本実施の形態に係る表示装置１の効果等について、本開示の技術を得るに至った経緯も含めて説明する。
【０１１４】
上述のように、近年、液晶表示装置のバックライトとしては、直下型のＬＥＤバックライトが用いられている。
【０１１５】
従来の液晶表示装置における直下型のＬＥＤバックライトは、例えば、本実施の形態における表示装置のバックライト３００と同様に、下フレームの底部に配列された複数のＬＥＤと、複数のＬＥＤの前方に配置された透明基板と、光学シートとを備えている。
【０１１６】
また、従来の直下型のＬＥＤバックライトでは、光学シートの外周端部の全周が透明基板とともにクッション部材で押さえ付けられており、透明基板の外周端部が下フレームの基板支持部（下フランジ部）に載置されている。
【０１１７】
このように直下型のＬＥＤバックライトを用いた液晶表示装置では、図１３（ａ）に示すように、ＬＥＤから出射する光のうち表示パネル１００Ｘに貼り合わされた偏光板１０４Ｘで遮断される成分が、熱輻射として光学シート３３０Ｘに熱的影響を及ぼす。これにより、偏光板１０４Ｘに当たる光の分布によって光学シート３３０に温度差が生じる。
【０１１８】
また、液晶表示装置では、バックライトを冷却するために、冷却ファンが内蔵されていたり放熱フィン等の放熱構造が設けられたりしている。このような冷却機構は、下フレーム周辺又は下フレームの背面側に設けられている。このため、下フレームは冷却機構によって冷却されるため、上記のように、下フレームの基板支持部に透明基板が支持されていると、透明基板の外周端部は、下フレームによって冷却されることになる。この結果、光学シート３３０Ｘが透明基板の熱的影響を受け、透明基板の中央部と周辺部とで温度差（温度分布）が生じる。
【０１１９】
このように、光学シート３３０Ｘは、偏光板１０４Ｘの熱輻射による熱的影響と透明基板による熱的影響とを受けて、光学シート３３０Ｘに温度差が生じる。これにより、光学シート３３０Ｘにうねりが生じる。特に、従来の液晶表示装置では、光学シートの外周端部の全周がクッション部材により押さえ付けられているので、光学シート３３０Ｘに生じる上記温度差が光学シート３３０Ｘの熱収縮差となって現れ、図１３の（ａ）〜（ｃ）に示すように、光学シート３３０Ｘにうねりが生じる。例えば、波打つように光学シート３３０Ｘが部分的に撓む。この結果、液晶表示装置に表示される画像の品位が低下するという課題がある。
【０１２０】
特に、表示パネルとして２枚の液晶表示パネルを重ね合わせた液晶表示装置では、各液晶表示パネルによる光の透過率の低下を補うためにバックライトの光量が大きく設定される。この場合、偏光板の熱輻射による光学シート３３０Ｘ内での温度差が拡大するとともに透明基板の中央部と周辺部とでの温度差が拡大する。このため、光学シートのうねりも大きくなって、画像の品位が著しく低下する。
【０１２１】
このような課題に対して本発明者らが鋭意検討した結果、光学シート及び透明基板の各外周端部周辺の構造を工夫することで、光学シートのうねりを抑制できるという知見を得て、本開示の着想を得た。
【０１２２】
具体的には、本実施の形態に係る表示装置１では、中フレーム６２０のパネル支持部６２１及び下フレーム６３０の基板支持部６３１の間に、透明基板３２０のＺ軸方向の動きを規制する複数の第１スペーサ部材７１０を配置するとともに、光学シート３３０とパネル支持部６２１とを、Ｚ軸方向において空間部を介在させて配置している。
【０１２３】
このように、光学シート３３０とパネル支持部６２１との間に空間部を介在させることによって、自由端となる外周端部を光学シート３３０に設けることができる。さらに、第１スペーサ部材７１０によって透明基板３２０のＺ軸方向の動きを規制することによって、光学シート３３０とパネル支持部６２１との間のＺ軸方向の一定の距離を維持することができる。つまり、自由端となる外周端部を光学シート３３０に維持させることができる。
【０１２４】
したがって、上記のように、光学シート３３０が偏光板の熱輻射による熱的影響と透明基板３２０による熱的影響とを受けて光学シート３３０に生じる温度差により光学シート３３０に熱収縮差による応力が生じたとしても、光学シート３３０の外周端部の自由端によってその応力を吸収することができる。これにより、光学シート３３０のうねりを緩和させることができる。したがって、光学シート３３０のうねりによる表示装置１の画像の品位の低下を抑制することができる。
【０１２５】
また、本実施の形態における表示装置１において、各第１スペーサ部材７１０は、透明基板３２０のＺ軸方向の動きを規制するだけではなく、さらに、透明基板３２０のＺ軸方向に直交する方向の動きも規制している。
【０１２６】
この構成により、複数の第１スペーサ部材７１０によって透明基板３２０の全方向の動きを規制することができる。これにより、複数の第１スペーサ部材７１０によって、光学シート３３０とパネル支持部６２１との間の空間部におけるＺ軸方向の一定の距離を維持しつつ、透明基板３２０を保持することができる。
【０１２７】
また、本実施の形態における表示装置１において、各第１スペーサ部材７１０は、透明基板３２０の動きを規制する規制部として透明基板３２０の外周端部を収納する凹部７１１を有する。そして、凹部７１１は、透明基板３２０の主面３２０ｘと対面する第１内面７１１ａと、第１内面７１１ａに直交し、かつ、透明基板３２０の側面３２０ｙに対面する第２内面７１１ｂとを有する。
【０１２８】
この構成により、複数の第１スペーサ部材７１０によって簡便かつ確実に透明基板３２０の動きを規制することができる。
【０１２９】
また、本実施の形態における表示装置１では、光学シート３３０の外周端部の一部が下フレーム６３０に固定されており、中フレーム６２０のパネル支持部６２１と光学シート３３０の下フレーム６３０に固定された部分の周辺領域との間には、クッション部材８１０が配置されている。
【０１３０】
この構成により、クッション部材８１０を配置した箇所において、光学シート３３０を下フレーム６３０に固定することができる。これにより、自由端となる外周端部と固定端となる固定部とを有する光学シート３３０を実現できる。
【０１３１】
さらに、本実施の形態では、光学シート３３０の平面視形状が長尺状であり、光学シート３３０は、光学シート３３０の長手方向の両端部の中央部のみが下フレーム６３０に固定されている。
【０１３２】
この構成により、光学シート３３０のうねりを効果的に緩和させることができるので、表示装置１の画像の品位の低下を一層抑制することができる。例えば、光学シート３３０の長手方向の両端部全部を下フレーム６３０等に固定する場合と比べて、光学シート３３０のうねりを効果的に緩和させることができる。また、光学シート３３０の短手方向の両端部の中央部のみ又は短手方向の両端部全部を下フレーム６３０等に固定する場合と比べて、光学シート３３０のうねりを効果的に緩和させることができる。
【０１３３】
さらに、実施の形態では、光学シート３３０は、平面視において、光学シート３３０の長手方向の両端部の中央部の各々から外側に向かって突出する突出部３３２を有し、光学シート３３０は、突出部３３２において下フレーム６３０に固定されている。
【０１３４】
この構成により、突出部３３２を光学シート３３０の固定端とすることができるので、長方形の光学シートの短辺の中央部を下フレーム６３０等に固定して固定端にする場合と比べて、光学シート３３０のうねりを効果的に緩和させることができる。
【０１３５】
（変形例）
以上、本開示に係る表示装置について、実施の形態に基づいて説明したが、本開示は、上記実施の形態に限定されるものではない。
【０１３６】
例えば、上記実施の形態では、図７に示すように、中フレーム６２０の第２側壁部６２２には屈曲部６２２ａが設けられていたが、これに限らない。具体的には、図１４に示される変形例に係る表示装置１Ａのように、中フレーム６２０Ａの第２側壁部６２２Ａは、屈曲部（段差部）が設けられていない平板であってもよい。
【０１３７】
ただし、上記実施の形態における表示装置１のように、中フレーム６２０の第２側壁部６２２には、下フレーム６３０の基板支持部６３１の端部の主面６３１ｘと当該主面６３１ｘに直交する側面６３１ｙとに沿って折れ曲がる屈曲部６２２ａが設けられている方が異物混入の観点からはよい。
【０１３８】
このように、中フレーム６２０の第２側壁部６２２に屈曲部６２２ａを設けることで、基板支持部６３１の外周端部の側面と第２側壁部６２２の側面との間に生じる隙間から埃や虫等の微小物体が表示装置１の内部に侵入することを抑制できる。
【０１３９】
つまり、図１４に示されるように、屈曲部６２２ａのない第２側壁部６２２Ａでは、表示装置１の設置姿勢によっては、基板支持部６３１の外周端部の側面と第２側壁部６２２の側面との間に僅かな隙間が生じる。この場合、微小物体がこの隙間を通過すると、表示装置１の内部に微小物体が侵入することになる。
【０１４０】
一方、図７に示されるように、屈曲部６２２ａが設けられた第２側壁部６２２では、表示装置１の設置姿勢によって基板支持部６３１の外周端部の側面と第２側壁部６２２の側面との間に僅かな隙間が生じたとしても、基板支持部６３１の外周端部の主面（上面）６３１ｘと屈曲部６２２ａの下面とが塞がれるため、基板支持部６３１の外周端部の側面６３１ｙと第２側壁部６２２の側面との間に僅かな隙間を微小物体が通過しても、それ以上先に浸入することができない。これにより、表示装置１の内部に微小物体が侵入することを抑制できる。
【０１４１】
このように、図７に示される表示装置１では、第２側壁部６２２に屈曲部６２２ａが設けられているので、表示装置１がどのような設置姿勢になったとしても、基板支持部６３１の外周端部の側面６３１ｙと第２側壁部６２２の側面との隙間、及び、基板支持部６３１の外周端部の主面（上面）６３１ｘと屈曲部６２２ａの下面との隙間の少なくとも一方が塞がれることになる。これにより、表示装置１の内部に微小物体が侵入することを抑制できる。
【０１４２】
また、上記実施の形態において、表示装置１は、表示パネルとして、第１表示パネル１００と第１表示パネル１００に重ね合わせられた第２表示パネル２００とによって構成されていたが、これに限らない。つまり、表示装置１における表示パネルの数は限定されず、１枚であってもよいし、２枚以上であってもよい。
【０１４３】
また、上記実施の形態において、第１表示パネル１００がカラー画像を表示し、第２表示パネル２００がモノクロ画像を表示する構成としたが、これに限らない。例えば、第１表示パネル１００がモノクロ画像を表示し、第２表示パネル２００がカラー画像を表示する構成であってもよい。
【０１４４】
また、上記実施の形態において、バックライト３００のＬＥＤ３１０は、波長変換材として蛍光体を用いて白色光を生成する白色ＬＥＤ光源としたが、これに限るものではない。例えば、波長変換材として量子ドットを用いてもよい。この場合、バックライト３００の光源は、量子ドットを用いた白色ＬＥＤ素子であってもよいが、光学シート３３０として、ＱＤＥＦ（Ｑｕａｎｔｕｍ  Ｄｏｔ．  Ｅｎｈａｎｃｅｍｅｎｔ  Ｆｉｌｍ）等の量子ドットを含有させた光学フィルム（量子ドットフィルム）を用いるとともに、バックライト３００の光源として、量子ドットを励起する励起光として青色光を発する青色ＬＥＤ素子を用いてもよい。なお、量子ドットとしては、青色光を緑色光及び赤色光の各々に変換するものを用いることができる。このように、波長変換材として量子ドットを用いることで、波長変換材として蛍光体を用いる場合と比べて、色再現性に優れた液晶表示装置を実現できる。
【０１４５】
なお、その他、上記実施の形態に対して当業者が思いつく各種変形を施して得られる形態や、本開示の趣旨を逸脱しない範囲で実施の形態における構成要素及び機能を任意に組み合わせることで実現される形態も本開示に含まれる。
【符号の説明】
【０１４６】
１、１Ａ  表示装置
１００  第１表示パネル
１０１  第１ＴＦＴ基板
１０２  第１対向基板
１０３  第１液晶層
１０４  第１偏光板
１０５  接着層
１１０  第１ソースＦＰＣ
１１１  第１ソースドライバ
１１２  第１回路基板
１２０  第１ゲートＦＰＣ
１２１  第１ゲートドライバ
１３０  第１画像表示領域
２００  第２表示パネル
２０１  第２ＴＦＴ基板
２０２  第２対向基板
２０３  第２液晶層
２０４  第２偏光板
２１０  第２ソースＦＰＣ
２１１  第２ソースドライバ
２１２  第２回路基板
２２０  第２ゲートＦＰＣ
２２１  第２ゲートドライバ
２３０  第２画像表示領域
３００  バックライト
３１０  ＬＥＤ
３２０  透明基板
３３０  光学シート
３３１  シート本体部
３３２  突出部
３３２ａ  貫通孔
３４０  反射板
４１０  第１タイミングコントローラ
４２０  第２タイミングコントローラ
５００  画像処理部
６００  フレーム
６１０  上フレーム
６１１  額縁部
６１２  第１側壁部
６２０、６２０Ａ  中フレーム
６２１  パネル支持部
６２２、６２２Ａ  第２側壁部
６２３  隙間
６３０  下フレーム
６３１  基板支持部
６３１ａ  突起
６３２  本体部
６３２ａ  底板部
６３２ｂ  側板部
７１０  第１スペーサ部材
７１１  凹部
７１１ａ  第１内面
７１１ｂ  第２内面
７２０  第２スペーサ部材
８１０、８２０、８３０、８４０  クッション部材
【図１】
2019012116.tif 000003
【図２】
2019012116.tif 000004
【図３】
2019012116.tif 000005
【図４】
2019012116.tif 000006
【図５】
2019012116.tif 000007
【図６】
2019012116.tif 000008
【図７】
2019012116.tif 000009
【図８】
2019012116.tif 000010
【図９】
2019012116.tif 000011
【図１０】
2019012116.tif 000012
【図１１】
2019012116.tif 000013
【図１２】
2019012116.tif 000014
【図１３】
2019012116.tif 000015
【図１４】
2019012116.tif 000016